【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
連続する複数の周波数サブキャリアにて形成されたリソースブロックによってシステム帯域が複数に分割されるとともに、連続する複数のリソースブロックをグループ化した第１グループがリソースブロック数よりも少ない数だけ規定され、かつ各第１グループに含まれたリソースブロックをグループ化した第２グループが規定されており、少なくともひとつの第１グループ、あるいは第２グループ中の少なくともひとつのリソースブロックに下りリンクのチャネルを割り当てる周波数スケジューリング部と、
前記周波数スケジューリング部において割り当てた少なくともひとつの第１グループ、あるいは少なくともひとつのリソースブロックに、下りリンクのチャネルのデータをマッピングするマッピング部と、
を備えることを特徴とする送信装置。
【請求項２】
各第１グループに含まれたリソースブロックの数は同一であり、
前記周波数スケジューリング部は、各第１グループに含まれたリソースブロックであって、かつ第１グループ内の低周波数側からの順番が同一のリソースブロックをグループ化することによって、第２グループを複数規定することを特徴とする請求項１に記載の送信装置。
【請求項３】
前記周波数スケジューリング部は、前記第２グループの複数のリソースブロックを用いて、システム帯域内に離散的に分散した周波数サブキャリアからなる分散型リソースブロックを生成することを特徴とする請求項１または２に記載の送信装置。
【請求項４】
前記周波数スケジューリング部における第１グループを構成するリソースブロックの総帯域幅は、受信チャネル状態の測定単位となる帯域幅と等しいことを特徴とする請求項１または２に記載の送信装置。
【請求項５】
前記周波数スケジューリング部は、各移動局から、前記第１グループ毎に測定されるチャネル状態に基づいて、少なくともひとつの第１グループ、あるいは第２グループ中の少なくともひとつのリソースブロックを割り当てることを特徴とする請求項１ないし４のいずれか１項に記載の送信装置。
【請求項６】
前記周波数スケジューリング部は、各移動局が送信しようとするデータのサイズに基づいて、各移動局に対して、少なくともひとつの第１グループ、あるいは第２グループ中の少なくともひとつのリソースブロックを割り当てることを特徴とする請求項５に記載の送信装置。
【請求項７】
前記周波数スケジューリング部は、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方がよい場合、そのチャネル状態の最もよい移動局に第１のグループを割り当てることを特徴とする請求項６に記載の送信装置。
【請求項８】
前記周波数スケジューリング部は、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方が悪い場合、前記予め決定された数の移動局に、第１のグループを構成するリソースブロックを割り当てることを特徴とする請求項７に記載の送信装置。
【請求項９】
前記周波数スケジューリング部において、少なくともひとつの第１グループが割り当てられている場合に、リソースブロック数よりも少ない数だけ規定された第１グループのうちの割当対象の第１グループを特定するための制御情報を生成し、第２グループ中の少なくともひとつのリソースブロックが割り当てられている場合に、第２グループ内における割当対象のリソースブロックを特定するための制御情報を生成する制御情報生成部をさらに備えることを特徴とする請求項１ないし８のいずれか１項に記載の送信装置。
【請求項１０】
連続する複数の周波数サブキャリアにて形成されたリソースブロックによってシステム帯域が複数に分割されるとともに、連続する複数のリソースブロックをグループ化した第１グループがリソースブロック数よりも少ない数だけ規定され、かつ各第１グループに含まれたリソースブロックをグループ化した第２グループが規定されており、少なくともひとつの第１グループ、あるいは第２グループ中の少なくともひとつのリソースブロックに下りリンクのチャネルを割り当てるステップと、
割り当てた少なくともひとつの第１グループ、あるいは少なくともひとつのリソースブロックに、下りリンクのチャネルのデータをマッピングするステップと、
を備えることを特徴とする送信方法。
【請求項１１】
各第１グループに含まれたリソースブロックの数は同一であり、
前記割り当てるステップは、各第１グループに含まれたリソースブロックであって、かつ第１グループ内の低周波数側からの順番が同一のリソースブロックをグループ化することによって、第２グループを複数規定することを特徴とする請求項１０に記載の送信方法。
【請求項１２】
前記割り当てるステップは、前記第２グループの複数のリソースブロックを用いて、システム帯域内に離散的に分散した周波数サブキャリアからなる分散型リソースブロックを生成することを特徴とする請求項１０または１１に記載の送信方法。
【請求項１３】
前記割り当てるステップにおける第１グループを構成するリソースブロックの総帯域幅は、受信チャネル状態の測定単位となる帯域幅と等しいことを特徴とする請求項１０または１１に記載の送信方法。
【請求項１４】
前記割り当てるステップは、各移動局から、前記第１グループ毎に測定されるチャネル状態に基づいて、少なくともひとつの第１グループ、あるいは第２グループ中の少なくともひとつのリソースブロックを割り当てることを特徴とする請求項１０ないし１３のいずれか１項に記載の送信方法。
【請求項１５】
前記割り当てるステップは、各移動局が送信しようとするデータのサイズに基づいて、各移動局に対して、少なくともひとつの第１グループ、あるいは第２グループ中の少なくともひとつのリソースブロックを割り当てることを特徴とする請求項１４に記載の送信方法。
【請求項１６】
前記割り当てるステップは、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方がよい場合、そのチャネル状態の最もよい移動局に第１のグループを割り当てることを特徴とする請求項１５に記載の送信方法。
【請求項１７】
前記割り当てるステップは、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方が悪い場合、前記予め決定された数の移動局に、第１のグループを構成するリソースブロックを割り当てることを特徴とする請求項１６に記載の送信方法。
【請求項１８】
前記割り当てるステップにおいて、少なくともひとつの第１グループが割り当てられている場合に、リソースブロック数よりも少ない数だけ規定された第１グループのうちの割当対象の第１グループを特定するための制御情報を生成し、第２グループ中の少なくともひとつのリソースブロックが割り当てられている場合に、第２グループ内における割当対象のリソースブロックを特定するための制御情報を生成するステップをさらに備えることを特徴とする請求項１０ないし１７のいずれか１項に記載の送信方法。
【手続補正２】
【補正対象書類名】明細書
【補正対象項目名】発明の名称
【補正方法】変更
【補正の内容】
【発明の名称】送信装置及び送信方法
【手続補正３】
【補正対象書類名】明細書
【補正対象項目名】００２０
【補正方法】変更
【補正の内容】
【００２０】
上記課題を解決するため、本送信装置は、
連続する複数の周波数サブキャリアにて形成されたリソースブロックによってシステム帯域が複数に分割されるとともに、連続する複数のリソースブロックをグループ化した第１グループがリソースブロック数よりも少ない数だけ規定され、かつ各第１グループに含まれたリソースブロックをグループ化した第２グループが規定されており、少なくともひとつの第１グループ、あるいは第２グループ中の少なくともひとつのリソースブロックに下りリンクのチャネルを割り当てる周波数スケジューリング部と、
前記周波数スケジューリング部において割り当てた少なくともひとつの第１グループ、あるいは少なくともひとつのリソースブロックに、下りリンクのチャネルのデータをマッピングするマッピング部と、
を備える。
【手続補正４】
【補正対象書類名】明細書
【補正対象項目名】００２１
【補正方法】変更
【補正の内容】
【００２１】
本送信方法は、
連続する複数の周波数サブキャリアにて形成されたリソースブロックによってシステム帯域が複数に分割されるとともに、連続する複数のリソースブロックをグループ化した第１グループがリソースブロック数よりも少ない数だけ規定され、かつ各第１グループに含まれたリソースブロックをグループ化した第２グループが規定されており、少なくともひとつの第１グループ、あるいは第２グループ中の少なくともひとつのリソースブロックに下りリンクのチャネルを割り当てるステップと、
割り当てた少なくともひとつの第１グループ、あるいは少なくともひとつのリソースブロックに、下りリンクのチャネルのデータをマッピングするステップと、
を備える。